(57)【要約】【課題】作業用頭巾に着脱困難性を備えさせることにより、作業中において着用者が正確な作業用頭巾の着用状態を維持することが可能となり、これにより衛生的に作業を行うことが可能となる作業用頭巾の提供を図る。【解決手段】頭部を覆う頭巾本体２と、首部もしくは首部から肩部を覆う延伸布体３と、からなり、  頭巾本体２は、布製であって、頭頂部方向から人体の頭部全体を覆うことが可能な下方開放型の筒状の袋体に顔面の一部もしくは全部を開放可能な開口部２ａを備えてなり、延伸布部３は、布製であって、前記頭巾本体２の下部に設けられ、人体の首部もしくは首部及び肩部を覆うことが可能な筒状あるいは末広がり状となっており、延伸布部３の側方下端から頭巾本体２の側頭部付近まで切込み部４が備えられているとともに、該切込み部４を係止可能な係止手段５が設けられている構造とした。【選択図】  図１
0003151400.tif 000002
【実用新案登録請求の範囲】
【請求項１】
調理作業場等で使用される頭巾であって、
頭部を覆う頭巾本体と、首部もしくは首部から肩部を覆う延伸布体と、からなり、
頭巾本体は、布製であって、頭頂部方向から人体の頭部全体を覆うことが可能な下方開放型の筒状の袋体に顔面の一部もしくは全部を開放可能な開口部を備えてなり、
延伸布部は、布製であって、前記頭巾本体の下部に設けられ、人体の首部もしくは首部及び肩部を覆うことが可能な筒状あるいは末広がり状となっており、
延伸布部の側方下端から頭巾本体の側頭部付近まで切込みが備えられているとともに、該切込みを係止可能な係止手段が設けられていることを特徴とする作業用頭巾。
【請求項２】
前記作業用頭巾において、前記開口部における周縁の一部もしくは全部が、伸縮性を備えていることを特徴とする請求項１に記載の作業用頭巾。
【請求項３】
前記作業用頭巾において、前記係止手段が、ジップファスナーであることを特徴とする請求項１または請求項２に記載の作業用頭巾。
【考案の詳細な説明】
【技術分野】
【０００１】
本考案は、作業用として使用される頭巾に関し、特に調理作業場等において使用される頭巾に関するものである。
【背景技術】
【０００２】
例えば、食品やその材料の加工場、炊事場などで働く人達は、その食品衛生上の観点から、頭髪や頭部全体を覆うべく頭巾や調理帽などの帽子タイプの着用がなされている。
頭巾としては、いわゆる三角頭巾といわれ、三角形の布を額上部にある髪の生え際付近から頭髪全体に被せ、後頭部において該三角形の布の二つの角部を有する端部を締結することで、頭巾として着用することが、古来からの方法であった。
【０００３】
ところが、かかる三角頭巾によれば、あくまで頭髪を覆うことを目的としたものであって、作業中に顔面から出る汗に対しては、何ら衛生上の効果を奏することはない。また、三角形の布によって頭髪全てを覆い隠すこと自体が非常に困難であり、食品等へ髪の毛が混入してしまう恐れがあった。さらには、長時間の作業において頭を動かすことにより、位置ズレを起こしたり締結が緩んだりして不快感を覚えることとなり、そのため作業中に何度も締結し直すことが必要となって、煩わしく着用状態の安定性に劣るという問題があった。
【０００４】
これに対し、調理帽などの帽子タイプを着用する場合、三角形の布を頭巾とする方法に比して容易に着用が可能であるとともに、頭髪全体を覆うことが可能になり、ゴムなどの伸縮材やきつく締結可能な係止手段を用いることで、位置ズレや締結が緩むことを防止でき、不快感や煩わしさの問題を解決することが可能である。
しかしながら、帽子タイプでは、あくまで頭髪を覆うことのみを目的とするものであり、上記同様、作業中に顔面から出る汗に対しては、何ら衛生上の効果を奏することはない。
【０００５】
そこで、調理作業場等の現状として、人体の顔面を除く頭部全体をすっぽり覆うことが可能な、作業用頭巾が広く使用されている。これは、円筒状の袋体において、顔面に相当する箇所を開口するとともに、その他の頭部そして首部付近までを覆うことが可能な頭巾として、衛生面からして大変に有効なものである。かかる従来の作業用頭巾は、着用容易性の観点から、顔面開口部下端から首部前面に相当する箇所にかけて切込みが設けられることで開放されており、該切込み箇所にベルクロファスナー等による係止手段が設けられた、いわゆる前止め型の頭巾が一般的・主流である。
【０００６】
しかしながら、かかる前止め型の作業用頭巾によれば、作業現場が暑かったりすることで着用中の頭巾が暑苦しくなることがあり、その場合に係止手段を外してしまって、その外した状態のまま作業を行う人が多く目撃される。これは、係止手段が前方にあるため、該係止手段の着脱が容易に行えてしまうことが原因である。したがって、結局のところ作業中に顔面から出る汗に対しては、何ら衛生上の効果を発揮できずに着用されているおそれが大きいものであった。
【０００７】
【特許文献１】特開２００５−３６３４８号公報
【特許文献２】登録実用新案第３００１１２２号公報
【考案の開示】
【考案が解決しようとする課題】
【０００８】
本考案は、上記問題点に鑑みてなされたものであって、作業用頭巾に着脱困難性を備えさせることにより、作業中において着用者が正確な作業用頭巾の着用状態を維持することが可能となり、これにより衛生的に作業を行うことが可能となる作業用頭巾を提供することを課題とするものである。
【課題を解決するための手段】
【０００９】
前記課題を解決するため、本考案は、調理作業場等で使用される頭巾であって、頭部を覆う頭巾本体と、首部もしくは首部から肩部を覆う延伸布体と、からなり、  頭巾本体は、布製であって、頭頂部方向から人体の頭部全体を覆うことが可能な下方開放型の筒状の袋体に顔面の一部もしくは全部を開放可能な開口部を備えてなり、延伸布部は、布製であって、前記頭巾本体の下部に設けられ、人体の首部もしくは首部及び肩部を覆うことが可能な筒状あるいは末広がり状となっており、延伸布部の側方下端から頭巾本体の側頭部付近まで切込み部が備えられているとともに、該切込み部を係止可能な係止手段が設けられている構造となっている。
【００１０】
また、本考案は、前記作業用頭巾において、前記開口部における周縁の一部もしくは全部が、伸縮性を備えている構造を採用し得る。
【００１１】
さらに、本考案は、  前記作業用頭巾において、前記係止手段が、ジップファスナーである構造とすることができる。
【考案の効果】
【００１２】
本考案にかかる作業用頭巾によれば、側方に切込み部及び該切込み部を係止するための係止手段を設けた構造を採用したことにより、着用者は該係止手段の着脱を容易に行うことができなくなり、したがって、作業用頭巾の正確な着用状態を、作業中の間、ずっと維持することができる。これにより、衛生的に作業を行うことが可能であって、作業場における衛生管理が容易となる。
【考案を実施するための最良の形態】
【００１３】
以下、本考案にかかる作業用頭巾の実施形態について、図面を参照しながら詳細に説明する。
【００１４】
図１は、本考案にかかる作業用頭巾１の実施形態を示す斜視図である。
本実施形態における作業用頭巾１は、図１に示すように、頭部を覆う頭巾本体２と、首部もしくは首部から肩部を覆う延伸布体３と、から構成されている。
【００１５】
頭巾本体２の材質について、布製であれば特に限定はなく、綿製や絹製、合成繊維製など種々考えられるが、汗を吸収する吸水性や吸収した汗を素早く乾かす速乾性、着用者に熱が籠ることのないよう通気性等があることが好ましい。
【００１６】
頭巾本体２は、その形状が下方開放型の筒状の袋体であって、頭頂部方向から人体の頭部全体を覆うことが可能となっている。そして、該頭巾本体２で頭部を覆った際に、顔面箇所に相当する部分について、その一部もしくは全部を開放可能とすべく、開口部２ａが備えられている。
【００１７】
かかる開口部２ａの形状について、図１は顔面全部開放型の開口部２ａを備えた場合について示しており、一部開放型の開口部２ａを備えた場合については、図２に示している。
すなわち、顔面全部開放型の開口部２ａを備えた場合は、図面に示す通り、人体の顔面における額部から目の脇、頬の中央、あご下に亘って該開口部２ａの周縁２ｂが位置し、それらより前方にある顔面が開放されることとなる。
また、一部開放型の開口部２ａを備えた場合は、図面に示すように、人体の両目の外周に該開口部２ａの周縁２ｂが位置し、両目及びその周辺だけが開放されることとなる。
【００１８】
なお、該開口部２ａにおける周縁２ｂの一部もしくは全部が、伸縮性を備えている構造とすることが可能である。
かかる構造を採用することにより、本考案にかかる作業用頭巾１を装着した際に、開口部２ａの周縁２ｂと顔面との間に隙間が発生させずに、しっかりフィットさせることが可能となる。これにより、実際の作業において、着用者のより衛生的な作業を実現可能である。
【００１９】
延伸布部３の材質については、頭巾本体２と同様、綿製や絹製、合成繊維製など、布製であれば特に限定はなく、前記頭巾本体２と同材質で一体成形可能であることが好ましい。また、汗を吸収する吸水性や吸収した汗を素早く乾かす速乾性、着用者に熱が籠ることのないよう通気性等があることが好ましい。
【００２０】
かかる延伸布部３は、前記頭巾本体２の下部に設けられ、その形状は筒状あるいは末広がり状となっており、人体の首部もしくは首部及び肩部を覆うことが可能となっている。
【００２１】
以上の通り頭巾本体２と延伸布部３とから構成される本考案にかかる作業用頭巾１において、延伸布部３の側方下端から頭巾本体２の側頭部付近にかけて、切込み部４が備えられている。そして、該作業用頭巾１の装着状態において切込み部４を係止するため、該切込み部４には係止手段５が設けられている。
【００２２】
このように、かかる切込み部４及び係止手段５を、本考案にかかる作業用頭巾１の側方に設けることにより、該係止手段５の着脱が容易に行うことができなくなる。これにより、着用者は一度正確に着用すると、その状態のまま作業中の間ずっと維持して作業を行うこととなり、作業における衛生管理が容易となる。
【００２３】
なお、係止手段５の構造については、切込み部４を係止可能であれば特に限定するものではなく、ボタンやホック、ベルクロファスナー等、種々の構造が考え得る。ただし、ベルクロファスナーの場合に、該ベルクロファスナー自体にゴミが付着して不衛生となりやすいため、係止手段５を該ベルクロファスナーとすることはあまり好ましくない。また、切込み部４及び係止手段５を作業用頭巾１の側方に設けることで着脱困難性を発揮させていることから、係止手段５の構造自体は容易に着脱可能なものが好ましく、その観点から該係止手段５について、ジップファスナーであることが望ましい。
【００２４】
また、上記実施形態においては、顔面全部開放型の開口部２ａの形状について、人体の顔面における額部から目の脇、頬の中央、あご下に亘って該開口部２ａの周縁２ｂが位置し、それらより前方にある顔面が開放される形状の場合を述べたが、かかる形状に限定されるものではない。
同様に、上記実施形態において、一部開放型の開口部２ａの形状について、人体の両目の外周に該開口部２ａの周縁２ｂが位置し、両目及びその周辺だけが開放される開口部２ａの形状の場合を述べたが、かかる形状に限定されるものではない。
【００２５】
本考案にかかる作業用頭巾１は以上の通り構成され、位置的に係止手段５の着脱困難性を発揮させることで、着用者が正確な着用状態を維持できるようになっており、それにより、衛生的な作業及び衛生管理の容易性を実現可能としたものである。
本考案にかかる作業用頭巾１の着用方法については、特に説明するまでもないが、頭頂部方向から人体頭部へ該作業用頭巾１を被せ、開口部２ａと顔面との位置を合わせた上で、側方の係止手段５を係止することで、装着完了となる。
【産業上の利用可能性】
【００２６】
本考案は、調理作業場等の作業者に着用され、係止手段５の着脱困難性を発揮させることで、正確な着用状態の維持を図ることを可能とするものであって、調理作業に従事する作業者のみならず、あらゆる作業場や家事等においても充分にその作用効果を発揮することが可能であり、その用途を考えれば限りなく、本考案の産業上の利用可能性は非常に大きいといえる。
【図面の簡単な説明】
【００２７】
【図１】本考案にかかる作業用頭巾の実施形態を示す斜視図である。
【図２】本考案にかかる作業用頭巾の実施形態を示す斜視図である。
【符号の説明】
【００２８】
１    作業用頭巾
２    頭巾本体
２ａ  開口部
２ｂ  周縁
３    延伸布部
４    切込み部
５    係止手段
【図１】
0003151400.tif 000003
【図２】
0003151400.tif 000004